(57)【要約】【課題】印刷物の用途に適した入力インターフェイスを表示することで、ユーザーの操作性を向上させる。【解決手段】本発明の表示装置を適用した携帯端末１は、印刷画像の編集を行うための入力インターフェイスを表示する表示部５３と、印刷画像が印刷される印刷媒体の種別、および、印刷画像の印刷フォーム、の少なくとも一方に応じて、入力インターフェイスに含まれるキーの表示形態を変更する表示制御部５２と、を備える。【選択図】図４
2017126104.tif 000002
【特許請求の範囲】
【請求項１】
印刷画像の編集を行うための入力インターフェイスを表示する表示部と、
前記印刷画像が印刷される印刷媒体の種別、および、前記印刷画像の印刷フォーム、の少なくとも一方に応じて、前記入力インターフェイスに含まれるキーの表示形態を変更する表示制御部と、を備えることを特徴とする表示装置。
【請求項２】
前記表示制御部は、前記表示形態の変更として、前記入力インターフェイスに含まれる少なくとも一部のキーのキーサイズを変更することを特徴とする請求項１に記載の表示装置。
【請求項３】
前記表示制御部は、前記表示形態の変更として、前記入力インターフェイスに特定のキーを追加または削除することを特徴とする請求項１に記載の表示装置。
【請求項４】
前記入力インターフェイスは、ソフトウェアキーボードを含むことを特徴とする請求項１ないし３のいずれか１項に記載の表示装置。
【請求項５】
前記表示制御部は、前記表示形態の変更として、前記ソフトウェアキーボードのキー配列を変更することを特徴とする請求項４に記載の表示装置。
【請求項６】
前記表示制御部は、前記表示形態の変更として、前記ソフトウェアキーボードのメインキーとテンキーのキーサイズの比率を変更することを特徴とする請求項４に記載の表示装置。
【請求項７】
ラベルに印刷する印刷画像の編集を行うための入力インターフェイスを表示する表示部と、
テープを供給するテープカートリッジの種別、および、前記印刷画像の印刷フォーム、の少なくとも一方に応じて、前記入力インターフェイスに含まれるキーの表示形態を変更する表示制御部と、
前記印刷画像の編集結果に基づいて、前記テープカートリッジから繰り出された前記テープ上に印刷を行う印刷部と、を備えることを特徴とするテープ印刷装置。
【請求項８】
印刷画像の編集を行うための入力インターフェイスを備えた表示装置の表示制御方法であって、
前記印刷画像が印刷される印刷媒体の種別、および、前記印刷画像の印刷フォーム、の少なくとも一方に応じて、前記入力インターフェイスに含まれるキーの表示形態を変更する表示制御ステップを実行することを特徴とする表示装置の表示制御方法。
【請求項９】
コンピューターを、請求項１ないし６のいずれか１項に記載の表示装置における各部、または請求項７に記載のテープ印刷装置における各部として機能させるためのプログラム。
【発明の詳細な説明】
【技術分野】
【０００１】
本発明は、ラベルに印刷する印刷画像の編集を行うための表示装置、テープ印刷装置、表示装置の表示制御方法に関する。
【背景技術】
【０００２】
従来、この種の技術として特許文献１が知られている。特許文献１には、装填されたテープ部材のテープ幅と、指定されたラベルの用途に適したテープ幅と、を複数の表示体を用いて表示する印刷装置であって、装填されたテープ部材のテープ幅に対応する表示体を点灯駆動制御し、指定されたラベルの用途に適したテープ幅に対応する表示体を点滅駆動制御する技術が開示されている。
【先行技術文献】
【特許文献】
【０００３】
【特許文献１】特開２０１２−１１７３１号公報
【発明の概要】
【発明が解決しようとする課題】
【０００４】
ところで、この種の印刷装置は、キーボード等の入力手段を用いて、ラベルに印刷する印刷画像の編集を行う。また、近年ではこの入力手段をハードウェアではなく、ソフトウェアを用いて実現することも多い（ソフトウェアキーボードなど）。そこで、特許文献１のように、ラベルの用途を指定可能な印刷装置の場合、指定されたラベルの用途に応じて、ソフトウェアによる入力手段（以下、「入力インターフェイス」と称する）の表示形態を変更可能とすれば操作性が向上すると考えられる。例えば、ケーブルを識別するためのケーブルラベルを作成する場合、キーボードのメインキー（文字キー）よりテンキー（数字キー）を使用する頻度が高いため、他のラベルを作成する場合に比べてテンキーのキーサイズを大きく表示して欲しいというニーズがある。ところが、ラベルの用途に応じて、入力インターフェイスの表示形態を変更可能とする技術は未だ提案されていない。
【０００５】
本発明は、上記の問題点に鑑み、印刷物の用途に適した入力インターフェイスを表示することで、ユーザーの操作性を向上可能な表示装置、テープ印刷装置、表示装置の表示制御方法を提供することを目的とする。
【課題を解決するための手段】
【０００６】
本発明の表示装置は、印刷画像の編集を行うための入力インターフェイスを表示する表示部と、印刷画像が印刷される印刷媒体の種別、および、印刷画像の印刷フォーム、の少なくとも一方に応じて、入力インターフェイスに含まれるキーの表示形態を変更する表示制御部と、を備えることを特徴とする。
【０００７】
本発明の表示装置の表示制御方法は、印刷画像の編集を行うための入力インターフェイスを備えた表示装置の表示制御方法であって、印刷画像が印刷される印刷媒体の種別、および、印刷画像の印刷フォーム、の少なくとも一方に応じて、入力インターフェイスに含まれるキーの表示形態を変更する表示制御ステップを実行することを特徴とする。
【０００８】
本発明は、印刷媒体の種別および／または印刷フォームに応じて入力インターフェイスに含まれるキーの表示形態を変更する。この構成により、印刷物の用途に適した入力インターフェイスをユーザーに提供することができ、ひいては、ユーザーの印刷画像編集時における操作性を向上させることができる。
なお、「キー」とは、アイコン、ボタン、テキスト入力キーなど、ユーザーの操作を受け付けて特定の機能を実行させる操作子（入力インターフェイス上の表示要素）を指す。
【０００９】
上記の表示装置において、表示制御部は、表示形態の変更として、入力インターフェイスに含まれる少なくとも一部のキーのキーサイズを変更することを特徴とする。
【００１０】
本発明の構成によれば、印刷物の用途に応じて使用頻度が高いと考えられるキーを他のキーに対して大きくすることにより、利便性の向上および誤操作の低減を図ることができる。
【００１１】
上記の表示装置において、表示制御部は、表示形態の変更として、入力インターフェイスに特定のキーを追加または削除することを特徴とする。
【００１２】
本発明の構成によれば、印刷物の用途に適した特定のキーを追加することにより、利便性の向上および誤操作の低減を図ることができる。
なお、「特定のキー」としては、定型語句または定型文を入力するためのキー、特定の機能を呼び出すためのファンクションキー、などが考えられる。
【００１３】
上記の表示装置において、入力インターフェイスは、ソフトウェアキーボードを含むことを特徴とする。
【００１４】
本発明の構成によれば、印刷物の用途に適したソフトウェアキーボードを提供することができる。
【００１５】
上記の表示装置において、表示制御部は、表示形態の変更として、ソフトウェアキーボードのキー配列を変更することを特徴とする。
【００１６】
本発明の構成によれば、印刷物の用途に応じて使用頻度が高いと考えられるキーをユーザーが選択し易い位置に配置することにより、利便性の向上および誤操作の低減を図ることができる。
【００１７】
上記の表示装置において、表示制御部は、表示形態の変更として、ソフトウェアキーボードのメインキーとテンキーのキーサイズの比率を変更することを特徴とする。
【００１８】
本発明の構成によれば、数字を多用するラベルを作成する場合、メインキーに対するテンキーのキーサイズの比率を大きくすることにより、利便性の向上および誤操作の低減を図ることができる。
【００１９】
本発明のテープ印刷装置は、ラベルに印刷する印刷画像の編集を行うための入力インターフェイスを表示する表示部と、テープを供給するテープカートリッジの種別、および、印刷画像の印刷フォーム、の少なくとも一方に応じて、入力インターフェイスに含まれるキーの表示形態を変更する表示制御部と、印刷画像の編集結果に基づいて、テープカートリッジから繰り出されたテープ上に印刷を行う印刷部と、を備えることを特徴とする。
【００２０】
本発明の構成によれば、ラベルの用途に適した入力インターフェイスを表示することで、ユーザーの操作性を向上可能なテープ印刷装置を提供することができる。
【００２１】
本発明のプログラムは、コンピューターを、上記の表示装置における各部、または上記のテープ印刷装置における各部として機能させることを特徴とする。
【００２２】
このプログラムを実行することにより、印刷物の用途に適した入力インターフェイスを表示可能な表示装置またはテープ印刷装置を実現できる。
【図面の簡単な説明】
【００２３】
【図１】印刷システムのシステム構成図である。
【図２】携帯端末のハードウェア構成を示すブロック図である。
【図３】テープ印刷装置のハードウェア構成を示すブロック図である。
【図４】第１実施形態に係る印刷システムの機能構成を示すブロック図である。
【図５】第１実施形態に係る入力インターフェイス対応表の一例を示す図である。
【図６】ケーブルラベルの一例を示す図である。
【図７】備品管理ラベルの一例を示す図である。
【図８】デフォルトの編集画面の一例を示す図である。
【図９】パターンＡ１の編集画面の一例を示す図である。
【図１０】デフォルトのキーボードの一例を示す図である。
【図１１】パターンＢ１のキーボードの一例を示す図である。
【図１２】パターンＢ２のキーボードの一例を示す図である。
【図１３】第２実施形態に係る印刷システムの機能構成を示すブロック図である。
【図１４】第２実施形態に係る入力インターフェイス対応表の一例を示す図である。
【図１５】変形例に係るテープ印刷装置の機能構成を示すブロック図である。
【発明を実施するための形態】
【００２４】
以下、添付の図面を参照して、本発明の表示装置、テープ印刷装置、表示装置の表示制御方法について説明する。本実施形態では、本発明の表示装置を、携帯型の情報処理端末（以下、「携帯端末１」と称する）に適用した場合を例示する。
【００２５】
［第１実施形態］
図１は、本発明の一実施形態に係る印刷システムＳＹのシステム構成図である。同図に示すように、印刷システムＳＹは、携帯端末１およびテープ印刷装置３を備える。
【００２６】
携帯端末１は、各種タブレット端末、スマートフォン（携帯電話）、ノート型パソコンなどによって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置３と通信する。なお、携帯端末１とテープ印刷装置３間の通信は、ＵＳＢ通信やＥｔｈｅｒｎｅｔ（登録商標）などの有線通信規格を用いても良い。
【００２７】
テープ印刷装置３は、長尺状の印刷媒体（以下、「印刷テープＴ」と称する）およびインクリボンが収容されたテープカートリッジ３１が装着され、携帯端末１から印刷データを受信すると、テープカートリッジ３１から印刷テープＴを繰り出しつつ、印刷処理および切断処理を行う。印刷テープＴの印刷済み部分は、切断処理後、テープ排出口３２から排出され、ラベルとして用いられる。
【００２８】
次に、図２および図３を参照し、携帯端末１およびテープ印刷装置３のハードウェア構成について説明する。図２は、携帯端末１のブロック図である。携帯端末１は、ハードウェア構成として、タッチパネル１１、Ｂｌｕｅｔｏｏｔｈ通信部１２、内蔵メモリー１３および携帯端末側制御部１４を備える。
【００２９】
タッチパネル１１は、表示画面１１ａおよび位置入力部１１ｂを含む。表示画面１１ａは、液晶パネルなどによって実現され、後述する編集画面Ｄ（図８，図９参照）やソフトウェアキーボードＫ（図１０〜図１２参照）など各種情報を表示する。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置３とペアリング処理を行い接続確立した後、無線通信を行う。
【００３０】
内蔵メモリー１３は、例えばフラッシュＲＯＭ（登録商標）によって実現され、ＯＳ（Operating  System）１３ａや、専用アプリケーション１３ｂを記憶する。専用アプリケーション１３ｂは、各種ラベルを作成するためのスマートフォン用アプリケーションである。上記の編集画面ＤおよびソフトウェアキーボードＫは、当該専用アプリケーション１３ｂの一機能として表示される画面である。また、専用アプリケーション１３ｂは、後述する入力インターフェイス対応表１０１（図５参照）を記憶している。
【００３１】
携帯端末側制御部１４は、ＣＰＵ（Central  Processing  Unit）およびＲＡＭ（Random  Access  Memory）等によって実現され、上記の各部（符号１１ないし符号１３）と連携し、テープ印刷装置３に供給する印刷データの生成処理やテープ印刷装置３との通信制御を行う。
【００３２】
図３は、テープ印刷装置３のブロック図である。テープ印刷装置３は、ハードウェア構成として、Ｂｌｕｅｔｏｏｔｈ通信部３３、カートリッジ検出部３４、印刷機構３５および印刷装置側制御部３６を備える。
【００３３】
Ｂｌｕｅｔｏｏｔｈ通信部３３は、Ｂｌｕｅｔｏｏｔｈ通信規格に基づいて携帯端末１と通信を行う。カートリッジ検出部３４は、テープカートリッジ３１に収容された印刷テープＴに関するテープ情報を検出する。本実施形態では、テープ情報として、印刷テープＴのテープ種別（「通常テープ」、「ケーブルテープ」、「蓄光テープ」、「備品管理テープ」のいずれに該当するか）を検出する。その他、テープ種別以外の情報として、印刷テープＴのテープ幅、テープ種類、テープ色、インク色などを検出可能としても良い。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。なお、詳細については後述するが、検出したテープ情報は、入力インターフェイス（編集画面ＤおよびソフトウェアキーボードＫ）の表示形態に反映される。
【００３４】
印刷機構３５は、印刷ヘッド４１、テープ送りモーター４２、カッターモーター４３およびテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。カッターモーター４３は、テープカッター４４を駆動し、テープ送りを一旦停止した状態で、印刷テープＴの印刷済み部分をテープ幅方向に切断する。
【００３５】
印刷装置側制御部３６は、ＣＰＵやＲＡＭ等によって実現され、上記の各部（符号３３ないし符号３５）と連携し、携帯端末１との通信制御や印刷制御を行う。具体的には、テープカートリッジ３１の装着時、携帯端末１との通信確立時または携帯端末１からの問い合わせがあったときに、Ｂｌｕｅｔｏｏｔｈ通信部３３を介してカートリッジ検出部３４によって検出したテープ種別を携帯端末１に送信する。また、携帯端末１からＢｌｕｅｔｏｏｔｈ通信部３３を介して印刷データを受信し、当該印刷データに基づいて印刷機構３５を制御する。
【００３６】
次に、図４を参照し、印刷システムＳＹの機能構成について説明する。携帯端末１は、機能構成として、テープ種別判定部５１、表示制御部５２、表示部５３、入力部５４、印刷データ生成部５５および通信部５６を備える。これらのうち表示制御部５２および印刷データ生成部５５の機能は、主に上記の専用アプリケーション１３ｂ（図３参照）によって実現される。また、テープ印刷装置３は、機能構成として、通信部６１、印刷部６２および切断部６３を備える。
【００３７】
テープ種別判定部５１は、カートリッジ検出部３４の検出結果に基づいて、テープ種別（印刷媒体の種別，テープカートリッジの種別）を判定する。なお、テープ種別の判定は、入力インターフェイスの表示ごとに行っても良いし、テープ印刷装置３からテープ種別を取得したときに行い、その判定結果を記憶しておく構成でも良い。前者の場合、入力インターフェイスの表示開始時に、テープ印刷装置３に対してテープ種別を問い合わせれば良い。
【００３８】
表示制御部５２は、テープ種別判定部５１の判定結果に応じて、入力インターフェイスに含まれるキーの表示形態を変更する（表示制御ステップ）。上記のとおり入力インターフェイスは、編集画面ＤおよびソフトウェアキーボードＫを含む。表示制御部５２は、図５に示す入力インターフェイス対応表１０１を参照し、判定したテープ種別に対応する、編集画面ＤおよびソフトウェアキーボードＫの表示形態を特定し、特定した表示形態でこれらを表示部５３に表示する。なお、本実施形態において「キー」とは、文字を入力するための操作子（ソフトウェアキーボードＫに含まれる文字キーや数字キー）のみならず、特定の機能を実行させるためのアイコンやボタンなどの操作子を含む概念である。
【００３９】
表示部５３は、表示制御部５２の制御に基づき、ラベルに印刷する印刷画像の編集を行うための入力インターフェイスを表示する。入力部５４は、入力インターフェイスを操作するための情報を入力する。本実施形態では、タッチパネル１１により表示部５３および入力部５４を実現する。なお、表示部５３として、液晶ディスプレー等を用いる場合、入力部５４は、キーボードやマウス等で実現される。
【００４０】
印刷データ生成部５５は、入力部５４の入力結果（印刷画像の編集結果）に基づいて、ラベルに印刷画像を印刷するための印刷データを生成する。印刷データは、画像データやテキストデータの他、切断指示コマンドなどの各種制御コマンドを含む。通信部５６は、印刷データ生成部５５によって生成された印刷データをテープ印刷装置３に送信する。
【００４１】
一方、テープ印刷装置３の通信部６１は、携帯端末１から印刷データを受信する。印刷部６２は、受信した印刷データに基づいて印刷を行う。また、切断部６３は、受信した印刷データに基づいて、テープカッター４４により印刷テープＴを切断する。
【００４２】
次に、図５を参照し、入力インターフェイス対応表１０１について説明する。入力インターフェイス対応表１０１は、テープ種別ごとに、編集画面ＤおよびソフトウェアキーボードＫの表示形態を示したものである。なお、同図において、「通常テープ」とは、一般的な樹脂製の印刷テープＴを指す（図示省略）。また、「ケーブルテープ」とは、図６に示すケーブルラベルＬ１の作成に用いられる印刷テープＴ１を指す。同図に示すように、ケーブルテープＴ１は、テープ幅方向において白地領域７１と透明領域７２に区画されている。このうち白地領域７１は印刷領域であり、透明領域７２は、印刷領域を保護するためのラミネート領域となる。使用方法としては、ケーブル等の貼着対象物に白地領域７１を貼付し、その上に透明領域７２を被せるように巻き付ける。
【００４３】
また、図５の入力インターフェイス対応表１０１において、「蓄光テープ」とは、停電時や消灯時に一定時間発光する素材を用いた印刷テープＴを指す（図示省略）。また、「備品管理テープ」とは、図７に示す備品管理ラベルＬ２の作成に用いられる印刷テープＴ２を指す。同図に示すように、備品管理ラベルＬ２は、テープ長方向において項目名領域７３と情報入力領域７４に区画された表形式の印刷フォームを用いて作成されるラベルである。項目名領域７３には、印刷フォームの一部として、各項目名がデフォルト入力されている。また、備品管理テープＴ２は、アルミ銘板のような銀色地の素材が用いられる。
【００４４】
ところで、図５の例では、「通常テープ」が装填されている場合、編集画面Ｄとしてデフォルトの編集画面Ｄ０（図８参照）が表示され、ソフトウェアキーボードＫとしてデフォルトのキーボードＫ０（図１０参照）が表示されることを意味する。これに対し、「備品管理テープ」が装填されている場合は、編集画面ＤとしてパターンＡ１の編集画面Ｄ１（図９参照）が表示されることを意味する。また、ソフトウェアキーボードＫについては、「ケーブルテープ」が装填されている場合、パターンＢ１のキーボードＫ１（図１１参照）が表示され、「蓄光テープ」が装填されている場合、パターンＢ２のキーボードＫ２（図１２参照）が表示されることを意味する。
【００４５】
ここで、図８〜図１２を参照し、編集画面ＤおよびソフトウェアキーボードＫの具体的な表示例を説明する。まず、図８，図９を参照し、編集画面Ｄについて説明する。図８は、デフォルトの編集画面Ｄ０の一例を示す図である。デフォルトの編集画面Ｄ０は、画面上部のキー表示領域８１と、画面下部の編集領域８２と、を含む。また、キー表示領域８１は、編集データを新規作成するための「ＯＰＥＮ」キー、編集データを保存するための「ＳＡＶＥ」キー、テキスト入力を行うための「Ｔｅｘｔ」キー、テキストデータや画像データを取り込むための「Ｉｍｐｏｒｔ」キー、外枠（装飾枠）を付加するための「Ｂｏｒｄｅｒ」キー、画像データを挿入するための「Ｉｍａｇｅ」キー、バーコードを挿入するための「Ｂａｒｃｏｄｅ」キー、印刷を実行するための「Ｐｒｉｎｔ」キーなどを含む。一方、編集領域８２は、印刷テープＴを模したテープイメージ８３が表示される。また、印刷画像の編集操作に伴って、テープイメージ８３上に印刷画像イメージ（図示省略）が表示される。
【００４６】
図９は、パターンＡ１の編集画面Ｄ１の一例を示す図である。同図に示すように、パターンＡ１の編集画面Ｄ１は、デフォルトの編集画面Ｄ０と比較して、キー表示領域８１内の「Ｂａｒｃｏｄｅ」キー８４が大きく表示される。このように、「備品管理テープ」が装填されている場合、使用頻度の高い「Ｂａｒｃｏｄｅ」キー８４のキーサイズを大きく表示することで、備品管理ラベルＬ２（図７参照）を作成する際の利便性の向上および誤操作の低減を図ることができる。
【００４７】
次に、図１０〜図１２を参照し、ソフトウェアキーボードＫについて説明する。なお、ソフトウェアキーボードＫ（Ｋ０，Ｋ１，Ｋ２）は、編集画面Ｄにおいて「Ｔｅｘｔ」キーが選択された場合、または、編集画面Ｄと同時にタッチパネル１１上に表示させることが可能である。図１０は、デフォルトのキーボードＫ０の一例を示す図である。デフォルトのキーボードＫ０は、画面上部のテンキー８６と、画面下部のメインキー８７と、を含む。テンキー８６は、各数字に対応するキーが横一列に配列されている。また、メインキー８７は、各アルファベットに対応するキーが所定の規則にしたがって配列されている。なお、デフォルトのキーボードＫ０は、テンキー８６およびメインキー８７の全てのキーが、同一サイズで表示される。
【００４８】
図１１は、パターンＢ１のキーボードＫ１の一例を示す図である。同図に示すように、パターンＢ１のキーボードＫ１は、デフォルトのキーボードＫ０と比較して、メインキー８７に対するテンキー８６のサイズの比率が大きく表示される。このように、「ケーブルテープ」が装填されている場合、使用頻度の高いテンキー８６のキーサイズを大きく表示することで、ケーブルラベルＬ１（図６参照）を作成する際の利便性の向上および誤操作の低減を図ることができる。
【００４９】
一方、図１２は、パターンＢ２のキーボードＫ２の一例を示す図である。同図に示すように、パターンＢ２のキーボードＫ２は、デフォルトのキーボードＫ０と比較して、メインキー８７内に「非常口」キー８９（特定のキー）が追加表示される。当該「非常口」キー８９は、定型語句「非常口」を自動入力するためのキーであり、他のキーより大きく表示される。このように、「蓄光テープ」が装填されている場合、「非常口」キー８９を追加表示することで、蓄光ラベルを作成する際の利便性の向上および誤操作の低減を図ることができる。
【００５０】
以上説明したとおり、第１実施形態によれば、使用する印刷テープＴのテープ種別に応じて、編集画面ＤやソフトウェアキーボードＫなどの入力インターフェイスの表示形態を変更するため、ラベルの用途に適した入力インターフェイスをユーザーに提供することができる。また、これにより、ユーザーの印刷画像編集時における操作性を向上させることができる。
【００５１】
［第２実施形態］
次に、図１３，図１４を参照し、本発明の第２実施形態について説明する。本実施形態では、使用する印刷フォームに応じて、入力インターフェイスの表示形態を変更することを特徴とする。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５２】
図１３は、本実施形態に係る印刷システムＳＹの機能構成を示すブロック図である。本実施形態の携帯端末１は、第１実施形態の機能構成（図４参照）から、テープ種別判定部５１を削除し、印刷フォーム選択部５７を追加した構成となる。印刷フォーム選択部５７は、印刷画像の印刷フォームを選択する。具体的には、ユーザーが編集画面Ｄから「ＯＰＥＮ」キーを選択すると、印刷フォーム選択画面（図示省略）が表示され、当該印刷フォーム選択画面から、所望する印刷フォームを選択する。また、本実施形態の表示制御部５２は、印刷フォーム選択部５７により選択された印刷フォームに応じて、入力インターフェイス（編集画面ＤおよびソフトウェアキーボードＫ）に含まれるキーの表示形態を変更する。また、本実施形態の印刷データ生成部５５は、入力部５４の入力結果および印刷フォーム選択部５７の選択結果に基づいて、印刷データを生成する。
【００５３】
図１４は、第２実施形態に係る入力インターフェイス対応表１０２の一例を示す図である。印刷フォーム選択部５７は、同図に示すような複数種類の印刷フォームの中から、所望の印刷フォームを選択する。同図において、「通常フォーム」とは、デフォルトの印刷フォームを指す。また、「ケーブル」とは、ケーブルラベルＬ１（図６参照）の作成に用いられる印刷フォームを指す。また、「備品管理票」とは、備品管理ラベルＬ２（図７参照）の作成に用いられる印刷フォームを指す。例えば、印刷フォームとして「備品管理票」が選択されると、表組みや項目名が予め入力された印刷フォームが編集画面Ｄの編集領域８２に表示され、ユーザーが当該印刷フォームに追加入力または変更を加えることにより印刷画像の編集を行う。このように印刷フォームを用いることにより、ユーザーは、外枠、画像、テキスト、文字装飾などの選択・入力を省略でき、見栄えの良いラベルを容易に作成することができる。
【００５４】
なお、図１に示す入力インターフェイス対応表１０２は、印刷フォームとして「通常フォーム」が選択された場合、編集画面Ｄとしてデフォルトの編集画面Ｄ０（図８参照）が表示され、ソフトウェアキーボードＫとしてデフォルトのキーボードＫ０（図１０参照）が表示されることを意味する。これに対し、印刷フォームとして「備品管理票」が選択された場合、編集画面ＤとしてパターンＡ１の編集画面Ｄ１（図９参照）が表示され、「ケーブル」が選択された場合、ソフトウェアキーボードＫとしてパターンＢ１のキーボードＫ１（図１１参照）が表示されることを意味する。
【００５５】
以上説明したとおり、第２実施形態によれば、使用する印刷フォームに応じて、編集画面ＤやソフトウェアキーボードＫなどの入力インターフェイスの表示形態を変更するため、第１実施形態と同様の作用効果を奏することができる。
【００５６】
以上、２つの実施形態を示したが、各実施形態では以下の変形例を採用可能である。
[変形例１]
両実施形態では、携帯端末１とテープ印刷装置３によって本発明を実現したが、テープ印刷装置３単体で実現しても良い。図１５は、第１実施形態をテープ印刷装置３単体で実現する場合のテープ印刷装置３の機能構成を示すブロック図である。テープ印刷装置３は、テープ種別判定部５１、表示制御部５２、表示部５３、入力部５４、印刷データ生成部５５、印刷部６２および切断部６３を備える。この構成により、テープ印刷装置３単体の簡易な構成で本発明を実現できる。なお、特に図示しないが、第２実施形態についても同様にテープ印刷装置３単体で実現可能である。
【００５７】
[変形例２]
第１実施形態と第２実施形態を組み合わせても良い。つまり、印刷テープＴのテープ種別と、選択された印刷フォームと、に応じて、入力インターフェイスの表示形態を変更しても良い。また、さらなる変形例として、言語設定または国設定を考慮しても良い。つまり、テープ種別および／または印刷フォームと、言語設定または国設定と、に応じて、入力インターフェイスの表示形態を変更しても良い。
【００５８】
[変形例３]
第１実施形態では、「蓄光テープ」が装填された場合、ソフトウェアキーボードＫに、定型語句「非常口」を入力するための「非常口」キー８９を追加したが（図１２参照）、定型語句ではなく、定型文を入力するための特定のキーを追加しても良い。さらに、デフォルトのキーボードＫ０に、定型語句や定型文を入力するための特定のキーが含まれる場合、印刷テープＴのテープ種別および／または印刷フォームに応じて、特定のキーの表示を省略しても良い。その他、特定のキーとして、ソフトウェアキーボードＫまたは編集画面Ｄに、特定の機能を呼び出すためのファンクションキーを追加または削除しても良い。
【００５９】
[変形例４]
両実施形態では、入力インターフェイスに含まれるキーの表示形態を変更する例として、キーサイズの変更や特定キーの追加を例示したが、キーの配列を変更しても良い。例えば、ソフトウェアキーボードＫの場合、メインキー８７の下にテンキー８６を配置したり、メインキー８７の横にテンキー８６を配置したりしても良い。また、テンキー８６内またはメインキー８７内での配列を変更しても良い。その他、キーの表示形態の変更として、キーに対する装飾（キーの色や形など）を変更しても良い。
【００６０】
[変形例５]
両実施形態において、印刷テープＴの種別ごと、および／または、印刷フォームごとに、入力インターフェイスに含まれる各キーの使用頻度を計測し、その計測結果に応じて、入力インターフェイスの表示形態を変更しても良い。例えば、使用頻度にしたがってキーサイズを変更する、使用頻度の高いキーのキーサイズを強調表示する、使用頻度の高い順にキーを配列する、などが考えられる。また、さらなる変形例として、キー群（テンキー８６とメインキー８７など）ごとに使用頻度を計測し、その計測結果に応じて、キー群ごとに入力インターフェイスの表示形態を変更しても良い。
【００６１】
[その他の変形例]
また、上記の実施形態および変形例に示した印刷システムＳＹ（携帯端末１およびテープ印刷装置３）における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹの各構成要素として機能させるためのプログラム、およびそれを記録した記録媒体も、本発明の権利範囲に含まれる。
【００６２】
また、本実施形態の携帯端末１の一部をクラウドコンピューティングで実現するなど、携帯端末１の各部を複数の装置で実現しても良い。例えば、インターフェイス対応表Ｔ１，Ｔ２をサーバーに格納し、複数の携帯端末１から参照可能な構成としても良い。その他、携帯端末１を他の情報処理装置で実現するなど、本発明の要旨を逸脱しない範囲で、適宜変更が可能である。
【符号の説明】
【００６３】
１…携帯端末、３…テープ印刷装置、５１…テープ種別判定部、５２…表示制御部、５３…表示部、５４…入力部、５５…印刷データ生成部、５６…通信部、５７…印刷フォーム選択部、６１…通信部、６２…印刷部、６３…切断部。
【図１】
2017126104.tif 000003
【図２】
2017126104.tif 000004
【図３】
2017126104.tif 000005
【図４】
2017126104.tif 000006
【図５】
2017126104.tif 000007
【図６】
2017126104.tif 000008
【図７】
2017126104.tif 000009
【図８】
2017126104.tif 000010
【図９】
2017126104.tif 000011
【図１０】
2017126104.tif 000012
【図１１】
2017126104.tif 000013
【図１２】
2017126104.tif 000014
【図１３】
2017126104.tif 000015
【図１４】
2017126104.tif 000016
【図１５】
2017126104.tif 000017